(57)【特許請求の範囲】
【請求項１】
記録ディスクを回転駆動するモータの載置領域を一方の面に有するベース部材と、
前記ベース部材の他方の面で、前記載置領域に対応する領域内の基準点から見て１８０度以内の角度範囲に搭載され、前記モータへ電力を伝達する経路を備えた主基板と、
前記主基板の前記経路上に設けられた給電端子と前記モータの駆動端子とを、前記ベース部材の開口を介して接続する導通部材と、
前記記録ディスクに作用する再生ヘッドと、
少なくとも前記記録ディスクの表面上の可動範囲で前記再生ヘッドを移動させるヘッド移動機構と、を備え、
前記再生ヘッドから前記モータの回転軸へ垂直におろした第１の補助線と、前記給電端子から前記回転軸へ垂直におろした第２の補助線とのなす角が、前記再生ヘッドが前記可動範囲内のいずれの位置にあっても９０度以上１８０度以下となるよう構成され、
前記基準点は、前記モータの回転中心であり、
前記主基板には前記モータの駆動を制御する集積回路および前記再生ヘッドからの信号を処理する集積回路が搭載されることを特徴とするディスク駆動装置。
【請求項２】
前記主基板は、その一辺が前記ベース部材の一辺に沿って取り付けられることを特徴とする請求項１に記載のディスク駆動装置。
【請求項３】
前記再生ヘッドが前記可動範囲内のいずれの位置にあっても、前記再生ヘッドから前記開口への距離よりも前記再生ヘッドから前記給電端子への距離のほうが大きくなるよう、前記可動範囲、前記開口、および前記給電端子の位置関係を決めたことを特徴とする請求項１または２に記載のディスク駆動装置。
【請求項４】
前記開口は、前記第２の補助線の線上に位置することを特徴とする請求項１から３のいずれかに記載のディスク駆動装置。
【請求項５】
前記導通部材は、その一端に前記モータの前記駆動端子と接続されるモータ側パッドが設けられるモータ側部と、その他端に前記主基板に設けられた前記給電端子と接続される給電側パッドを有する給電側部と、前記モータ側パッドと前記給電側パッドとを電気的に接続する配線が設けられる中間部と、を含むフレキシブル基板であることを特徴とする請求項１から４のいずれかに記載のディスク駆動装置。
【請求項６】
前記中間部は前記モータの回転軸方向に折り曲げられ、
前記モータ側部と前記中間部と前記給電側部とは、前記ベース部材の他方の面に貼り付けられることを特徴とする請求項５に記載のディスク駆動装置。
【請求項７】
前記フレキシブル基板は、前記中間部の前記第２の補助線に垂直な方向の幅寸法が、前記モータ側部の前記第２の補助線に垂直な方向の幅寸法より小さくなるよう形成されることを特徴とする請求項５または６に記載のディスク駆動装置。
【請求項８】
前記モータ側パッドは前記開口を封止する封止樹脂で覆われ、
前記給電側部は前記主基板と前記ベース部材との間に挟まれることを特徴とする請求項５から７のいずれかに記載のディスク駆動装置。
【発明の詳細な説明】
【技術分野】
【０００１】
本発明は、ディスク駆動装置に関する。
【背景技術】
【０００２】
デジタルデータを記録再生する装置としてはハードディスクドライブなどの磁気ディスク駆動装置や、ＣＤ（Ｃｏｍｐａｃｔ  Ｄｉｓｃ）装置、ＤＶＤ（Ｄｉｇｉｔａｌ  Ｖｅｒｓａｔｉｌｅ  Ｄｉｓｃ）装置などの光学ディスク駆動装置が知られている。その中でもハードディスクドライブはその小型化、薄型化に伴いその用途が拡大している。
【０００３】
ハードディスクドライブは、スピンドルモータによって回転駆動される磁気記録ディスクと、その磁気記録ディスク上をスイングする磁気ヘッドを備える。ハードディスクドライブの制御基板によって生成された駆動電流は、その制御基板からコネクタおよびフレキシブル基板などを介してスピンドルモータへ供給される。
【特許文献１】特開平４−２７６３７５号公報
【特許文献２】特開平６−４５７１８号公報
【特許文献３】特開平８−１０６７６１号公報
【特許文献４】特開平１１−３０８８３５号公報
【発明の開示】
【発明が解決しようとする課題】
【０００４】
このようなハードディスクドライブにおいて、本発明者は以下の課題を認識した。
スピンドルモータの起動時および定常回転時には、周期的に転流を繰り返す駆動電流が供給される。この電流は起動時には１〜２Ａ程度、定常回転時には０．３〜１Ａ程度であり比較的高く、転流に伴うリップルも無視できない大きさである。したがってこの駆動電流によって比較的大きな交流状のノイズ磁界が駆動配線の周囲に発生する。このノイズ磁界によって磁気ヘッドへの大きな飛び込みノイズが発生した場合、記録再生エラーの原因となり得る。
【０００５】
本発明はこうした状況に鑑みてなされたものであり、その目的は、駆動電流による飛び込みノイズを軽減したディスク駆動装置の提供にある。
【課題を解決するための手段】
【０００６】
本発明のある態様はディスク駆動装置に関する。このディスク駆動装置は、記録ディスクを回転駆動するモータの載置領域を一方の面に有するベース部材と、ベース部材の他方の面で、載置領域に対応する領域内の基準点から見て１８０度以内の角度範囲に搭載され、モータへ電力を伝達する経路を備えた主基板と、主基板の経路上に設けられた給電端子とモータの駆動端子とを、ベース部材の開口を介して接続する導通部材と、記録ディスクに作用する再生ヘッドと、少なくとも記録ディスクの表面上の可動範囲で再生ヘッドを移動させるヘッド移動機構と、を備える。再生ヘッドからモータの回転軸へ垂直におろした第１の補助線と、給電端子から回転軸へ垂直におろした第２の補助線とのなす角が、再生ヘッドが可動範囲内のいずれの位置にあっても９０度以上１８０度以下となるよう構成される。
【０００７】
この態様によると、主基板はベース部材の他方の面で、載置領域に対応する領域内の基準点から見て１８０度以内の角度範囲に搭載される。したがって主基板はベース部材の全面ではなくたかだかその一部を覆うに過ぎないのでその面積は限られる。またこの態様によると、再生ヘッドからモータの回転軸へ垂直におろした第１の補助線と、給電端子から回転軸へ垂直におろした第２の補助線とのなす角が、再生ヘッドが可動範囲内のいずれの位置にあっても９０度以上１８０度以下となる。したがって駆動電流が流れる導通部材と再生ヘッドとの間隔を、ベース部材の面内方向においてある程度とることができる。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、駆動電流による飛び込みノイズを軽減したディスク駆動装置を提供できる。
【発明を実施するための最良の形態】
【００１０】
本発明の実施の形態は、ハードディスクドライブなどの磁気ディスク駆動装置や、ＣＤ装置、ＤＶＤ装置などの光学ディスク駆動装置に好適に用いられる。以下では実施の形態に係るハードディスクドライブを説明する。このハードディスクドライブでは、駆動電流経路が磁気ヘッドから、ベースプレートの面内方向に距離をもって配置される。これにより磁気ヘッドへの飛び込みノイズが軽減される。
【００１１】
以下各図面に示される同一または同等の構成要素、部材には、同一の符号を付するものとし、適宜重複した説明は省略する。また、各図面における部材の寸法は、理解を容易にするために適宜拡大、縮小して示される。また、各図面において本発明に係る実施の形態を説明する上で重要ではない部材の一部は省略して表示する。
【００１２】
図１は、実施の形態に係るハードディスクドライブ２００の分解斜視図である。ハードディスクドライブ２００は、上蓋１７０と、ベースプレート１００と、制御基板１６０とを備える。ハードディスクドライブ２００は例えば３．５インチ型ハードディスクドライブであり、その長辺は約１４．７ｃｍ、短辺は約１０．１ｃｍである。ベースプレート１００の上面にはブラシレスモータ１１０と、スイング機構１４０が載置される。ブラシレスモータ１１０は磁気記録ディスク１２０を保持し、それを回転駆動する。ここでベースプレート１００の上面とは、磁気記録ディスク１２０が搭載されている面であるとする。
上蓋１７０は、ガスケット（不図示）を挟んでビス止め等によりベースプレート１００の上面に取り付けられ、ベースプレート１００の上面側を密封する。これはベースプレート１００に搭載される磁気記録ディスク１２０やスイング機構１４０等を外部からの埃等から保護するためである。
【００１３】
ベースプレート１００の下面には制御基板１６０がビス止め等により固定される。制御基板１６０上では、外部から供給される電源電圧および制御信号を元にブラシレスモータ１１０への駆動電流が生成され、また磁気ヘッドによって読み取られたデータ信号が処理される。制御基板１６０にはインタフェース１６２が設けられ、それを通じて電源電圧、制御信号や記録すべきデータ等がハードディスクドライブ２００に供給され、また、磁気記録ディスク１２０から読み取られたデータが外部へ送られる。
【００１４】
図２は、図１のベースプレート１００の上面図である。ベースプレート１００の上面には、ブラシレスモータ１１０と、アーム軸受１４４と、ボイスコイルモータ１４６とが載置される。ベースプレート１００の上面におけるブラシレスモータ１１０の載置領域には、それが嵌り込む凹部（不図示）が形成される。
ブラシレスモータ１１０は、例えばスピンドルモータであり、特に１２スロット８極着磁のスピンドルモータである。ブラシレスモータ１１０は磁気記録ディスク１２０を回転駆動する。ブラシレスモータ１１０はＵ相、Ｖ相、Ｗ相からなる３相の駆動電流により駆動される。ブラシレスモータ１１０は、ベースプレート１００の短手方向には短辺を二等分する線分Ａ−Ａ上に載置される。また長手方向には、ベースプレート１００の一方の短辺３０に対応する壁面３２と磁気記録ディスク１２０との間に十分なクリアランスを設けた上で、その一方の短辺３０に近づけて配置される。
【００１５】
アーム軸受１４４はスイングアーム１４２をスイング可能に支持する。ボイスコイルモータ１４６は外部からの制御データにしたがってスイングアーム１４２をスイングさせる。図１のスイング機構１４０は、スイングアーム１４２、アーム軸受１４４およびボイスコイルモータ１４６を含む。
【００１６】
スイングアーム１４２の先端には磁気ヘッド１３０が取り付けられる。ハードディスクドライブ２００が稼働状態にある場合、磁気ヘッド１３０はスイングアーム１４２のスイングに伴って磁気記録ディスク１２０の表面上の可動範囲ＣＤ内を移動し、データを読み書きする。ここで点Ｃは磁気記録ディスク１２０の内周に対応する点であり、点Ｄは磁気記録ディスク１２０の外周に対応する点である。スイングアーム１４２は、ハードディスクドライブ２００が停止状態にある場合には磁気記録ディスク１２０の脇に設けられる待避位置に移動してもよい。磁気ヘッド１３０はその読み取り素子として例えばＴＭＲ（Ｔｕｎｎｅｌｉｎｇ  Ｍａｇｎｅｔｏ  Ｒｅｓｉｓｔａｎｃｅ）素子を用いてもよい。
【００１７】
図３は、図１のベースプレート１００の下面図である。ベースプレート１００の下面には、リブ１０２と、凸部１０４と、ビス受１０８とが形成される。また、ベースプレート１００の下面には導通部材１５０が取り付けられる。リブ１０２は、ブラシレスモータ１１０の回転中心Ｅを中心としてベースプレート１００の下面上に蜘蛛の巣状に形成された梁であり、回転中心Ｅから見て約２２０度の角度範囲に形成される。またリブ１０２は、線分Ａ−Ａに対して略線対称であり、ブラシレスモータ１１０に近いベースプレート１００の短辺３０側に形成される。このリブ１０２によってベースプレート１００の剛性が高まる。凸部１０４は、ブラシレスモータ１１０が載置される前述の凹部に対応して、ベースプレート１００の下面の一部が円柱状に盛り上がった部分である。
【００１８】
導通部材１５０は、フレキシブル基板１５２と、絶縁シート１５４と、コネクタ１５６とを含む。図３ではフレキシブル基板１５２内の配線は略す。フレキシブル基板１５２の一端４２にはブラシレスモータ１１０の駆動端子（不図示）からの導線（不図示）が接続される。外部からの電気的接触から保護するために、その接続部分は絶縁シート１５４により覆われる。フレキシブル基板１５２の他端４４にはコネクタ１５６が接続される。
【００１９】
コネクタ１５６の重心Ｈからブラシレスモータ１１０の回転軸へ垂直におろした線分の足を点Ｆとし、線分ＨＦを定義する。また、磁気ヘッド１３０の重心Ｊからブラシレスモータ１１０の回転軸へ垂直におろした線分の足を点Ｉとし、線分ＪＩを定義する。磁気ヘッド１３０の可動範囲ＣＤ内では磁気ヘッド１３０が点Ｃにある場合に線分ＨＦと線分ＪＩとのなす角θは最小となり、その角度が９０度になるように磁気ヘッド１３０および導通部材１５０を配置する。回転中心Ｅ、点Ｆおよび点Ｉはブラシレスモータ１１０の回転軸上にあり、その回転軸はベースプレート１００の下面に垂直なので図３では重ねて表示される。
【００２０】
ブラシレスモータ１１０の駆動端子からの導線をベースプレート１００の下面に引き出すために、凸部１０４の頂上面には開口１０６が設けられる。その中心Ｇをベースプレート１００の下面に投影した点が、線分ＨＦをその下面に投影した線分上にくるように開口１０６が位置決めされる。したがって磁気ヘッド１３０が可動範囲ＣＤ内のいずれの位置にあっても、線分ＪＨの長さは線分ＪＧの長さよりも長い。つまり磁気ヘッド１３０からコネクタ１５６への距離は、磁気ヘッド１３０から開口１０６への距離よりも大きい。
【００２１】
図４は、図３の導通部材１５０周辺の拡大図である。図４では絶縁シート１５４およびコネクタ１５６を取り除いた状態を表示する。フレキシブル基板１５２は、その一端にブラシレスモータ１１０と接続されるモータ側パッドを有し、その他端にコネクタ１５６と接続されるコネクタ側パッドおよびそのコネクタ側パッドに伴って設けられる検査パッドを有する。より詳細には、フレキシブル基板１５２はその一端に第１モータ側パッド１０ａ、第２モータ側パッド１０ｂ、第３モータ側パッド１０ｃおよび第４モータ側パッド１０ｄを有する。その他端には、第１コネクタ側パッド１２ａ、第２コネクタ側パッド１２ｂ、第３コネクタ側パッド１２ｃ、第４コネクタ側パッド１２ｄ、および第１検査パッド１４ａ、第２検査パッド１４ｂ、第３検査パッド１４ｃ、第４検査パッド１４ｄを有する。第１モータ側パッド１０ａは、第１コネクタ側パッド１２ａおよび第１検査パッド１４ａに結線される。第２モータ側パッド１０ｂ〜第４モータ側パッド１０ｄに関しても同様である。
【００２２】
ブラシレスモータ１１０の３相コイルの励磁に使用されるＵ相、Ｖ相、Ｗ相および中点電位に対応する４つの駆動端子から伸びる４本の導線が開口１０６から引き出され、第１モータ側パッド１０ａ〜第４モータ側パッド１０ｄにそれぞれ半田付けにより接続される。この接続が完了した後に開口１０６はエポキシ樹脂、熱硬化性樹脂などの封止樹脂により密閉される。ベースプレート１００の上面側の気密を保つためである。
【００２３】
フレキシブル基板１５２は凸部１０４の頂上面、凸部１０４の側面（不図示）およびベースプレート１００の下面に折り曲げ貼り付けされる。一点鎖線で囲まれたコネクタ載置領域１５８にコネクタ１５６が載置される。第１コネクタ側パッド１２ａ〜第４コネクタ側パッド１２ｄには図５において後述するコネクタ１５６のピンが接続される。第１検査パッド１４ａ〜第４検査パッド１４ｄは対応するコネクタ側パッドの近傍に設けられる。給電治具等によって外部から電力を供給できるように第１検査パッド１４ａ〜第４検査パッド１４ｄのそれぞれは外部へ露出している。
【００２４】
図５は、コネクタ１５６の構造を示す斜視図である。コネクタ１５６は、樹脂本体２０と、第１コネクタピン１６ａと、第２コネクタピン１６ｂと、第３コネクタピン１６ｃと、第４コネクタピン１６ｄとを有する。第１コネクタピン１６ａ〜第４コネクタピン１６ｄには、第１取付部１８ａ〜第４取付部１８ｄがそれぞれ設けられている。図５においては樹脂本体２０の影になっているので、第１取付部１８ａおよび第２取付部１８ｂは示されていない。
第１取付部１８ａ〜第４取付部１８ｄは図４の第１コネクタ側パッド１２ａ〜第４コネクタ側パッド１２ｄにそれぞれ半田付けにより取り付けられる。第１コネクタピン１６ａ〜第４コネクタピン１６ｄは、制御基板１６０上の給電端子に圧着接続される。
【００２５】
図６は、制御基板１６０をベースプレート１００側から見た表面図である。つまりベースプレート１００の下面に面する制御基板１６０の面（以降制御基板１６０の上面と表示する）が示される。制御基板１６０の上面には、ビス穴１６４と、第１給電端子１６６ａと、第２給電端子１６６ｂと、第３給電端子１６６ｃと、第４給電端子１６６ｄとが設けられる。ビス穴１６４は制御基板１６０を貫通し、制御基板１６０をベースプレート１００にビス止めするビスが収まる。ビス穴１６４は図３のビス受１０８に対応している。
【００２６】
第１給電端子１６６ａ〜第４給電端子１６６ｄのうちの３つの端子には、制御基板１６０上の配線を通してＵ相、Ｖ相、Ｗ相に対応する駆動電流が供給される。残りの端子はブラシレスモータ１１０の３相コイルの中点電位に対応する。コネクタ１５６の第１コネクタピン１６ａ〜第４コネクタピン１６ｄに第１給電端子１６６ａ〜第４給電端子１６６ｄがそれぞれ圧着接続されるように制御基板１６０はベースプレート１００の下面に対して位置決めされて固定される。
【００２７】
図７は、制御基板１６０がベースプレート１００の下面に固定された状態でのベースプレート１００の下面図である。制御基板１６０は、リブ１０２とオーバーラップしないように、基準点、例えばブラシレスモータ１１０の回転中心Ｅから見て角度φ＝約１４０度の角度範囲に取り付けられる。また制御基板１６０は、その一辺がベースプレート１００のリブ１０２側でない短辺３４に沿って取り付けられる。制御基板１６０の下面には、ブラシレスモータ１１０の駆動を制御する集積回路や磁気ヘッド１３０からの信号を処理する集積回路等の複数の集積回路２２が実装される。また、上記の一辺に合わせてインタフェース１６２が取り付けられる。
【００２８】
以上のように構成されたハードディスクドライブ２００の動作について説明する。
ハードディスクドライブ２００が停止状態にあるときは、ブラシレスモータ１１０には駆動電流が供給されず、スイングアーム１４２はその待避位置に納まる。
ハードディスクドライブ２００が稼働状態にあるときは、ブラシレスモータ１１０に３相の駆動電流が供給され、磁気記録ディスク１２０が回転駆動される。同時にボイスコイルモータ１４６がスイングアーム１４２をスイングすることによって、磁気ヘッド１３０が磁気記録ディスク１２０上の可動範囲ＣＤを行き来する。磁気ヘッド１３０は磁気記録ディスク１２０に記録された磁気データを電気信号に変換して制御基板１６０へ伝え、また制御基板１６０から電気信号の形で送られてくるデータを磁気記録ディスク１２０上に磁気データとして書き込む。ここで上述の３相の駆動電流とは、周期的に転流を繰り返す駆動電流である。
【００２９】
このように、本実施の形態に係るハードディスクドライブ２００によれば、制御基板１６０はベースプレート１００の下面の全面ではなくたかだかその一部を覆うに過ぎないのでその面積は限られる。加えて駆動電流の流れる導通部材１５０と、磁気ヘッド１３０との間隔を、ベースプレート１００の面内方向においてとることができる。したがって制御基板１６０の面積を小さくすることで原材料コストを削減することができると同時に、駆動電流による磁気ヘッド１３０への飛び込みノイズを軽減できる。これにより、磁気記録ディスク１２０の記録密度を高くすることで相対的に磁気ヘッド１３０からの出力信号の振幅が小さくなったとしても、より正確な読み取りが可能となるので、ハードディスクドライブ２００の大容量化、小型化に貢献する。さらにはそのハードディスクドライブ２００を搭載する機器の使用温度範囲の拡大や使用振動環境の拡大にも貢献することとなる。
【００３０】
また本実施の形態に係るハードディスクドライブ２００によれば、ベースプレート１００の下面のうちリブ１０２のない領域に制御基板１６０が配置されている。したがって制御基板１６０をベースプレート１００の下面により近接して配置できるのでハードディスクドライブ２００の薄型化に貢献する。
【００３１】
本実施の形態に係るハードディスクドライブ２００によれば、角θは９０度以上である。以下その理由を説明する。図８（ａ）〜（ｅ）は、それぞれ角θ＝０度、３０度、６０度、９０度、１２０度とした場合において磁気ヘッド１３０への飛び込みノイズの大きさを計算したシミュレーションの結果を示すグラフである。縦軸は磁気ヘッドへの飛び込みノイズをｍＶ単位で表す。横軸は時間である。飛び込みノイズの大きさはピーク間電圧でそれぞれ２．０４ｍＶ、１．７０ｍＶ、１．０４ｍＶ、０．５２ｍＶ、０．４６８ｍＶとなる。
【００３２】
ここで使用される駆動電流は最大１Ａ、モータの基本スイッチング周波数は２８８０Ｈｚである。これらは１２スロット８極着磁の３相駆動スピンドルモータが搭載されたハードディスクドライブが７２００ｒｐｍで稼働状態にあるときの典型的な値である。特に基本スイッチング周波数の値に関して説明すると、まずスピンドルモータが一回転する間に、３（相）×８（極着磁）＝２４回スイッチングする。７２００ｒｐｍとは１２０Ｈｚであるから、全体として基本スイッチング周波数は１２０（Ｈｚ）×２４（回）＝２８８０Ｈｚとなる。
【００３３】
読み取った磁気データに対応するＴＭＲ素子からの出力電圧はピーク間電圧で１ｍＶ程度である。この出力電圧に対して設計の経験値として４０％のマージンを設ける。すると飛び込みノイズが出力電圧の６０％より大きい場合、そのノイズがデータ信号に混じってくる。したがって飛び込みノイズは１ｍＶ×０．６＝０．６ｍＶ以下である必要がある。本実施の形態に係るハードディスクドライブ２００によれば、上記の要請が満たされたハードディスクドライブが実現される。図８（ｄ）より角θ＝９０度のときノイズの大きさはおよそ０．５２ｍＶであるからである。
【００３４】
また、本実施の形態に係るハードディスクドライブ２００によれば、その一辺がベースプレート１００の短辺３４に沿うように制御基板１６０がベースプレート１００の下面に取り付けられる。したがって、インタフェース１６２をその一辺に合わせて取り付けることが可能となり、外部との接続を容易とする。
【００３５】
また、本実施の形態に係るハードディスクドライブ２００によれば、磁気ヘッド１３０が可動範囲ＣＤ上のどの位置にあっても、コネクタ１５６から磁気ヘッド１３０までの距離は開口１０６から磁気ヘッド１３０までの距離よりも大きい。その結果フレキシブル基板１５２の配置が磁気ヘッド１３０から逃げる形となり、より効果的にノイズを削減することが可能となる。
【００３６】
また、本実施の形態に係るハードディスクドライブ２００によれば、コネクタ側パッドに対応する検査パッドが設けられている。したがってハードディスクドライブ２００のテスト段階でのコネクタ１５６のピン曲りを防止し、制御基板１６０からブラシレスモータ１１０への給電接続の信頼性を向上させる。また、この検査パッドへの給電治具の圧接の圧力を調整することにより、サーボライト時に発生する振動をよりよく制御することができる。したがってより精度の高いサーボライトが可能となる。
【００３７】
上記ピン曲りについてさらに説明する。ハードディスクドライブ２００の組立工程には、ブラシレスモータ１１０の性能をチェックする性能チェック工程や、磁気記録ディスク１２０にサーボトラックを書き込むサーボライト信号書込工程などがある。これらの工程では、ベースプレート１００へ制御基板１６０を取り付ける前に、ブラシレスモータ１１０を回転させなければならない。そこで従来これらの工程ではブラシレスモータ１１０へ駆動電流を供給するためにコネクタへ直接給電治具を圧接していた。しかしながら給電治具との圧接の結果コネクタ１５６のピンが曲がってしまう場合もある。ここで本実施の形態に係るハードディスクドライブ２００では、給電治具を検査パッドに圧接する。これによりコネクタのピン曲りの問題が緩和され、給電接続の信頼性向上に貢献する。
【００３８】
以上、実施の形態に係るハードディスクドライブ２００の構成と動作について説明した。この実施の形態は例示であり、それらの各構成要素の組み合わせにいろいろな変形例が可能なこと、またそうした変形例も本発明の範囲にあることは当業者に理解されるところである。
【００３９】
実施の形態では回転中心Ｅを基準点として制御基板１６０が配置される角度範囲を規定する場合について説明したが、基準点を凸部１０４の頂上面上の任意の点、例えばその周上の点にとってもよい。特に短辺３０に最も近い周上の点にとってもよい。この場合、制御基板には凸部１０４に対応する穴を設けなくてもよいのでその構造が簡単となり製造上有利である。特に制御基板製造工程において凸部１０４に対応する穴のくりぬきが不要となる点で有利である。
【００４０】
実施の形態では長辺が約１４．７ｃｍ、短辺が約１０．１ｃｍである３．５インチ型ハードディスクドライブの場合について説明したが、もちろんこれに限定されない。例えば３．５インチの磁気記録ディスクの場合には、それを搭載するのにふさわしい長辺および短辺をもつハードディスクドライブであってもよい。また、２．５インチ、１．８インチ等の磁気記録ディスクを搭載し、それにふさわしい長辺および短辺をもつハードディスクドライブであってもよい。
【００４１】
実施の形態では一枚の磁気記録ディスクおよびひとつの磁気ヘッドを備える場合について説明したが、例えば複数の磁気記録ディスクおよびそのそれぞれに対応する複数の磁気ヘッドを備えるハードディスクドライブであってもよい。
【００４２】
実施の形態ではブラシレスモータが３相の駆動電流を用いる場合について説明したが、３相以外のブラシレスモータを用いてもよい。
【００４３】
実施の形態ではベースプレート１００にブラシレスモータ１１０が載置される場合について説明したが、例えばベースプレート１００にブラシレスモータが形成されてもよい。
【００４４】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【図面の簡単な説明】
【００４５】
【図１】実施の形態に係るハードディスクドライブの分解斜視図である。
【図２】図１のハードディスクドライブに含まれるベースプレートの上面図である。
【図３】図１のハードディスクドライブに含まれるベースプレートの下面図である。
【図４】図３のベースプレート下面に取り付けられた導通部材周辺の拡大図である。
【図５】コネクタの構造を示す斜視図である。
【図６】制御基板をベースプレート側から見た表面図である。
【図７】制御基板がベースプレートの下面に固定された状態でのベースプレートの下面図である。
【図８】図８（ａ）〜（ｅ）は、角θが様々な値をとるときの磁気ヘッドへの飛び込みノイズの大きさを示すグラフである。
【符号の説明】
【００４６】
１００  ベースプレート、  １１０  ブラシレスモータ、  １２０  磁気記録ディスク、  １３０  磁気ヘッド、  １４０  スイング機構、  １４２  スイングアーム、  １５０  導通部材、  １６０  制御基板、  １６２  インタフェース、  １７０  上蓋、  ２００  ハードディスクドライブ、  ＣＤ  可動範囲、  Ｅ  回転中心。
【図１】
0005037433.tif 000002
【図２】
0005037433.tif 000003
【図３】
0005037433.tif 000004
【図４】
0005037433.tif 000005
【図５】
0005037433.tif 000006
【図６】
0005037433.tif 000007
【図７】
0005037433.tif 000008
【図８】
0005037433.tif 000009